(57)【要約】      （修正有）【課題】メモ書きや試し書きする紙面の面積を自由に調整することができる試し書き用ロール紙スタンドを提供する。【解決手段】ロール紙Ｂを保持するホルダー部材１と、該ホルダー部材から引き出したロール紙の先端を保持する紙端保持部材２とから構成する。ホルダー部材１は、底板部１１と、底板部１１の両辺から折曲自在に形成された側板部１４と、側板部の間に設けられる支軸と、開口部１５ａを有する紙片引出し部１５とからなる。紙端保持部材２は、段部が形成された入口板部２２と、紙端部Ｂ１を通過させる開口部２１と、傾斜板部２３からなる。【選択図】図１
0003154327.tif 000002
【実用新案登録請求の範囲】
【請求項１】
テーブル等の取付面に両面接着テープ等の接着手段で固定される底板部と、
該底板部の両辺から折曲自在に形成された側板部と、該側板部を起立した状態において両側板部の間に設けられロール紙の中空芯に挿入される支軸と、
該支軸と平行な前記底板から突出して形成されロール紙より引き出された紙端部を挿入する開口部が形成されると共に該開口部から挿入された紙端部を取付面との間を通過させる段部が形成された紙片引出し部とから形成したホルダー部材と、
前記取付面に前記接着手段によって固定され、前記紙片引出し部よりの紙端部を取付面との間を通過させる段部が形成された入口板部と、
該段部を通過した紙端部を通過させる開口部と、該開口部からの紙端部を滑らしながら外部に導出する傾斜板部とから形成した紙端保持部材と、
より構成した試し書き用ロール紙スタンド。
【請求項２】
前記支軸は中空に形成されその一端は前記一方の側板部に一体で形成され、他の側板部には前記中空の支持の他端部に圧入される突起が形成されていることを特徴とする請求項１記載の試し書き用ロール紙スタンド。
【請求項３】
前記紙端保持部材における前記傾斜板部の前記段部と対向する端面の厚みを薄くして紙端部をスムーズに開口部から導出するようにしたことを特徴とする請求項１記載の試し書き用ロール紙スタンド。
【考案の詳細な説明】
【技術分野】
【０００１】
本考案は、文房具店等においてボールペン等の筆記具を購入する際に試し書きを行う、あるいは、メモ書きを行うのに最適な試し書き用ロール紙スタンドの改良に関する。
【背景技術】
【０００２】
従来におけるメモ書き用のメモ台としては、先行技術文献である実開平７−１２２９６号公報に記載された考案がある。この文献の構造は、ロール紙を収容する凹部が後方に形成され、かつ、後輪が取付けられたメモ台本体と、該メモ台本体の前方に形成された凹部に前輪によって回転自在に取付けられたゴムローラと、前記メモ台の上面を覆う蓋体に前記ゴムローラと対向する位置に回転自在に取付けられたゴムローラとから構成され、前記ロール紙の先端を引き出して前記一対のゴムローラの間を通して前記メモ台本体の前方と蓋体の前方との間に形成された隙間から外部に引き出した状態とする。
【０００３】
そして、このメモ台にあっては、前記蓋体に形成されている窓部からメモ用紙が露出しているので、この露出しているメモ用紙に所望事項を記載し、記載が終了したならメモ台本体を前方に移動すると前輪が回転して一対のゴムローラによってメモ用紙が送り出されるので、適当な長さまで引き出した状態で蓋板に形成されているカッターを利用して切断することでメモ用を保管できるものである。
【先行技術文献】
【特許文献】
【０００４】
【特許文献１】実開平７−１２２９６号公報
【考案の概要】
【考案が解決しようとする課題】
【０００５】
ところで、前記した文献のメモ台にあっては、メモ書きできる部分は蓋体の窓部のみであるので、メモ書きするスペースが限られており長文のメモを記載するには何枚ものメモ用紙に記載しなければならず、また、メモ書のスペースを大きくする為には蓋体を大きくしなければならず、大きなメモ台を提供しなければならないといった問題があった。
【０００６】
本考案は前記した問題点を解決せんとするもので、その目的とするところは、ロール紙を保持するホルダー部材と、該ホルダー部材から引き出したロール紙の先端を保持する紙端保持部材とから構成し、ホルダー部材と紙端保持部材との間隔を調整することで、メモ書きや試し書きする紙面の面積を自由に調整することができる試し書き用ロール紙スタンドを提供せんとするにある。
【課題を解決するための手段】
【０００７】
本考案に係る試し書き用ロール紙スタンドは、前記した目的を達成せんとするもので、請求項１の手段は、テーブル等の取付面に両面接着テープ等の接着手段で固定される底板部と、該底板部の両辺から折曲自在に形成された側板部と、該側板部を起立した状態において両側板部の間に設けられロール紙の中空芯に挿入される支軸と、該支軸と平行な前記底板から突出して形成されロール紙より引き出された紙端部を挿入する開口部が形成されると共に該開口部から挿入された紙端部を取付面との間を通過させる段部が形成された紙片引出し部とから形成したホルダー部材と、前記取付面に前記接着手段によって固定され、前記紙片引出し部よりの紙端部を取付面との間を通過させる段部が形成された入口板部と、該段部を通過した紙端部を通過させる開口部と、該開口部からの紙端部を滑らしながら外部に導出する傾斜板部とから形成した紙端保持部材とより構成したものである。
【０００８】
請求項２の手段は、前記した請求項１において、前記支軸は中空に形成されその一端は前記一方の側板部に一体で形成され、他の側板部には前記中空の支持の他端部に圧入される突起が形成されていることを特徴とする。
【０００９】
請求項３の手段は、前記した請求項１において、前記紙端保持部材における前記傾斜板部の前記段部と対向する端面の厚みを薄くして紙端部をスムーズに開口部から導出するようにしたことを特徴とする。
【考案の効果】
【００１０】
本考案の試し書き用ロール紙スタンドは前記したように、ロール紙を取付けるホルダー部材に紙片引出し部を形成し、ロール紙の紙端部を紙片引出し部からホルダー部材を固定する取付面上に引き出し、この引き出された紙端部をホルダー部材から所望位置に固定する紙端保持部材で保持した状態で上方に引き出すことで、ホルダー部材と紙端保持部材との間の取付面上にロール紙の白紙部分が位置するようにしたので、取付面上の白紙部分の長さを自由に設定することができる。
【００１１】
また、ロール紙をホルダー部材に回転自在に取付ける手段として、一対の側板部に突起を形成し、この突起に支軸を係合することでロール紙を取付けるようにすることで、ロール紙の中空芯に支軸を挿入した状態で側板部を立ち上げながら支軸を突起に係合することでロール紙をホルダー部材に対して取付けできるので、ロール紙の交換が容易に行える。
【００１２】
さらに、紙端保持部材における前記傾斜板部の前記段部と対向する端面の厚みを薄くして紙端部をスムーズに開口部から導出するようにしたので、挿入された紙端部は端面に当接することなく傾斜板部の上面に沿って外部に向かって容易に導出することができる等の効果を有するものである。
【図面の簡単な説明】
【００１３】
【図１】本考案に係る試し書き用ロール紙スタンドのホルダー部材と紙端保持部材とを取付面に固定した使用状態を示す側面図である。
【図２】ホルダー部材の展開平面図である。
【図３】図２におけるホルダー部材の正面図である。
【図４】図１におけるホルダー部材の縦断面図である。
【図５】紙端保持部材の拡大断面図である。
【図６】図５の紙端保持部材の斜視図である。
【考案を実施するための形態】
【００１４】
以下、本考案に係る試し書き用ロール紙スタンドの実施例を図面と共に説明する。
１は射出成形によって形成されたホルダー部材にして、テーブル等の取付面Ａに両面接着テープや接着材等の剥離可能な接着手段によって固定される底板部１１と、該底板部１１の両側に折曲溝１２を介して水平状態と起立状態に変更可能に連結された側板部１３，１４と、一方の側板部１３の上面に一体的に形成された中空の支軸１３ａと、他方の側板部１４の上面に一体的に形成され、前記側板部１３を起立した状態時に前記支軸１３ａと対向する位置に形成された突起１４ａとから構成されている。
【００１５】
そして、前記支軸１３ａにロール紙Ｂの中空芯を挿入した状態において、側板部１３，１４を起立させると、突起１４ａが支軸１３ａの先端に嵌合され、ロール紙Ｂは回転自在に軸支される。
【００１６】
また、前記底板部１１における支軸１３ａと平行な先端には紙片引出し部１５が延長されている。この紙片引出し部１５には支軸１３ａと平行な方向に開口部１５ａが形成され、該開口部１５ａより底板部１１に近い側には開口部１５ａに向かって厚みが薄くなる傾斜面１５ｂが形成され、また、開口部１５ａより先端方向の裏面にはロール紙Ｂより引き出された紙端部が取付面Ａとの間から導出可能とするための段部１５ｃが形成されている。
【００１７】
そして、前記支軸１３ａに軸支されたロール紙Ｂの先端を引き出した紙端部Ｂ１を紙片引出し部１５の傾斜面１５ｂの傾斜に沿って開口部１５ａから段部１５ｃ方向に押し出すと、取付面Ａと段部１５ｃとの隙間から外部に導出されることとなる。
【００１８】
２は前記紙片引出し部１５から引き出された紙端部Ｂ１を所望の長さ位置で固定するための紙端保持部材にして、前記ホルダー部材１と同様に射出成形によって形成されている。
【００１９】
この紙端保持部材２の形状は図５、図６に示すように、比較的厚みの薄い長方形のものであって、略長手方向に沿った中央部分に開口部２１を形成し、該開口部２１より紙端部Ｂ１を挿入する側（図５、図６において左側）に入口板部２２を形成し、該入口板部２２の裏面側に取付面Ａとの間に隙間を作るための段部２２ａを形成し、また、開口部２１より紙端部Ｂ１を引き出す側に前記段部２２ａに向かって厚みが薄くなる端面２３ａを有する傾斜板部２３が形成されている。なお、前記入口板部２２の開口部２１側における裏面には紙端部Ｂ１を切断するためのカッター部２２ｂが形成されている。
【００２０】
そして、前記紙片引出し部１５から引き出された紙端部Ｂ１を入口板部２２の段部２２ａと取付面Ａとの間から挿入する。この挿入時において傾斜板部２３の先端側の端面２３ａの厚みが薄く形成されているので、挿入された紙端部Ｂ１は端面２３ａに当接することなく傾斜板部２３の上面に沿って外部に向かって容易に導出されることとなる。
【００２１】
次に、前記した構成の試し書き用ロール紙スタンドを利用するための手段について説明する。
先ず、文房具店等において、テーブル上にホルダー部材１における底板部１１の裏面を両面接着テープ等を利用して固定する。次いで、所望間隔位置に紙端保持部材２における傾斜板部２３の裏面を同じく両面接着テープ等を利用して固定する。さらに、ロール紙Ｂの紙端部Ｂ１を引き出して前記したように紙片引出し部１５の傾斜面１５ｂの傾斜に沿って開口部１５ａから段部１５ｃ方向に押し出すと、取付面Ａと段部１５ｃとの隙間から外部に導出する。
【００２２】
次いで、紙片引出し部１５から引き出された紙端部Ｂ１を入口板部２２の段部２２ａと取付面Ａとの間から挿入し、開口部２１より導出することで試し書きする白紙部がテーブル上に現れる。この状態において、ホルダー部材１と紙端保持部材２は分離されているので、筆記する面積を自由に設定することが可能であり、また、試し書きを行う場合に紙面はテーブルの平坦面にあるので、書きやすい状態となる。
【００２３】
次に、このように設置した試し書き用ロール紙スタンドを利用して筆記具を購入する顧客が好みの筆記具を選択するために試し書きを行う場合について説明する。先ず、顧客は露出している紙面が白紙の場合には、そのまま露出している紙面に試し書きを行い、好みの筆記具を選択して購入することができる。
【００２４】
一方、既に他人によって試し書きが行われていて白紙部分が無い場合には、開口部２１から引き出されている紙端部Ｂ１を引っ張ることで、使用済み部分が開口部２１より引き出され、ロール紙側から白紙部分がテーブル上に移動する。そして、白紙部分を手で押さえて開口部２１より出ている使用済の部分を上方に持ち上げてカッター部２２ｂを利用して切断することで新たに試し書きを行うことが可能となる。
【００２５】
また、白紙部分を取付面１Ａに移動した状態において、該白紙部分を紙端保持部材２側に押し出すと紙端部Ｂ１が傾斜板部２３の傾斜面を滑るようにして開口部２１より出ることから、白紙部分の両端はホルダー部材１における紙片引出し部１５と紙端保持部材２との間で保持され、従って、試し書き時に白紙部分が移動することがなく試し書きをスムーズに行うことができる。
【００２６】
なお、前記したホルダー部材１における支軸１３ａは、側板部１３に一体的に形成されている場合について説明したが、他の構造としては、側板部１３にも側板部１４の突起１４ａと同様な突起を形成し、この２つの突起を中空パイプ状に構成した支軸１３ａに嵌合しても良い。
【符号の説明】
【００２７】
Ａ          取付面
Ｂ          ロール紙
Ｂ１        紙端部
Ｂ２        白紙部分
１          ホルダー部材
１１        底板部
１３，１４  側板部
１３ａ      支軸
１４ａ      突起
１５        紙片引出し部
１５ａ      開口部
２          紙端保持部材
２１        開口部
２２        入口板部
２２ａ      段部
２２ｂ      カッター部
２３        傾斜板部
２３ａ      端面
【図１】
0003154327.tif 000003
【図２】
0003154327.tif 000004
【図３】
0003154327.tif 000005
【図４】
0003154327.tif 000006
【図５】
0003154327.tif 000007
【図６】
0003154327.tif 000008